(57)【要約】      （修正有）【課題】携帯用手帳に筆記用具を収納する機能を簡便な方法と構造で実現し、太さには限定されない好みの筆記具を収納でき、携帯時に筆記具が抜け落ちにくく、これらの機能を備えるための価格上昇を抑える。【解決手段】表紙１と、積層された複数の記録用紙２と、裏表紙３と、これらを束ねる留め具４とからなり、裏表紙３の一端部を記録用紙２の端部よりも延長せしめて筆記具収納部５を設ける。筆記具収納部５の長手方向の一端部には切り込み部６を設け、かつ筆記具収納部には筆記具が抜け落ちるのを防止するべく、筆記具のクリップ部に設けられた抜け落ち防止突起が当たる位置に抜け落ち防止穴７を設ける。【選択図】図６
2009034974.tif 000002
【特許請求の範囲】
【請求項１】
表紙と、積層された複数の記録用紙と、裏表紙と、これらを束ねるべく一端面に設けられた留め具と、留め具が設けられた辺とは異なる一辺の裏表紙を延長させて設けられた筆記具収納部とからなり、筆記具収納部の長手方向の一端部に、切り込みもしくは切り欠きを設けたことを特徴とする携帯用手帳。
【請求項２】
上記の筆記具収納部の一部に、筆記具が具備するクリップに備えられた抜け落ち防止の突起を受ける抜け落ち防止穴を設けたことを特徴とする請求項１に記載される携帯用手帳。
【請求項３】
上記の筆記具収納部の短辺方向の、積層された複数の記録用紙が設けられた辺とは異なる辺の筆記具が収納される面の端部に、筆記具ずれ落ち防止の突起を設けたことを特徴とする請求項１に記載される携帯用手帳。
【発明の詳細な説明】
【技術分野】
【０００１】  本発明は、筆記具を収納する機能を備えた携帯用の手帳に係り、更に詳しくは、裏表紙の一辺の端部を延長せしめ、かつ筆記具を収納・保持する機能を具備せしめた筆記具収納部を備えた携帯用手帳に関する。
【背景技術】
【０００２】  携帯用手帳に筆記具を収納する機能が備えられていると大変便利である。この目的のために、すでにいくつかの方式が提案され実用化されている。
その構造・構成の一例は、例えば特開２０００１−１８０１５０に記載され、図１にその構成を示す。同図は概略斜視図であり、図において、１は表紙、２は積層された複数の記録用紙、３は裏表紙、４は表紙１と複数の記録用紙２と裏表紙３とを綴じる留め具、９は筆記具収納筒である。筆記具収納筒９は裏表紙３の一辺の端部の一部に固定されている。当該例では、筆記具を筆記具収納筒９に差し込むことで携帯用手帳に収納する構成となっている。【０００３】  図２は、筆記具を収納できる機能を備えた従来の携帯用手帳の他の構造を示す概略斜視図である。図において、図１と同じ符号は同じ機能を有するものを示す。当該例では、筆記具収納筒９は、表紙１と裏表紙３が互いに対向する端部で固定される構造となっており、筆記具は当該筆記具収納筒９に差し込むことで携帯用手帳に収納される。
【発明の開示】
【発明が解決しようとする課題】
【０００４】  図１や図２の従来例では、筆記具を収納するには、手帳に筆記具収納筒を特別に備える必要があった。しかも、収納できる筆記具は、収納筒に入る太さに限定された筆記具しか収納できないという欠点があった。さらに、筆記具を収納するための収納筒を備えるために特別な製造工程が必要であり、携帯手帳の価格が上昇してしまうという欠点もあった。
本発明は、かかる背景技術に鑑みてなされたものであり、その課題は、携帯用手帳に筆記用具を収納する機能を簡便な方法と構造で実現することにあり、太さには限定されない好みの筆記具を収納できること、携帯時に筆記具が抜け落ちにくいという基本性能を満足すること、これらの機能を備えるための価格上昇を抑えることであり、これらを満足する「筆記具を収納できる携帯用手帳」を提供することにある。
【課題を解決するための手段】
【０００５】  本発明になる携帯用手帳は、表紙と、積層された複数の記録用紙と、裏表紙と、これら
2009034974.tif 000003
紙を延長させて設けられた筆記具収納部とからなり、筆記具収納部の長手方向の一端部に、切り込みもしくは切り欠きを設けたことを特徴とする。
および、上記の筆記具収納部の一部に、筆記具が具備するクリップに備えられた抜け落ち防止の突起を受ける抜け落ち防止穴を設けたことを特徴とする。また、前記の筆記具収納部の短辺方向の、積層された複数の記録用紙が設けられた辺とは異なる辺の筆記具が収納される面の端部に、筆記具ずれ落ち防止の突起を設けたことを特徴とする。
【発明の効果】
【０００６】  本発明になる携帯用手帳は、筆記具に備えられたクリップにより携帯用手帳の筆記具収納部に装着・収納することから、クリップを備えた筆記具であれば、その太さを問わず、シャープペンシルやポールペンなどの種類を問わず、利用者の好みの筆記具を収納できるという利点を有する。また、携帯時に不用意に筆記具が抜け落ちることを防止する機能においても、従来と何ら変わることのない性能を有しており、利便性の高い携帯用手帳が提供できる。さらに、筆記具収納部が裏表紙と同一面で構成できることから、裏表紙をカットする工程で一体形成が可能である。従って、筆記具収納部を設けても携帯用手帳の価格にはほとんど影響しないという優れた効果を有する。
【実施例】
【０００７】  図３は、本発明になる筆記具収納機能を備えた携帯用手帳の第一の実施例を説明するための概略斜視図である。図において、１は表紙、２は積層された複数の記録用紙、３は裏表紙、４は留め具、５は筆記具収納部、６は切り込み部、をそれぞれ示す。本実施例では、裏表紙３の一端部が、積層された記録用紙２の端部よりも延長させて設けられており、当該延長部が筆記具収納部５となる。筆記具収納部５の長手方向の、留め具４が設けられる側の端面には、切り込み部６が設けられており、当該切り込み部に筆記具（図示せず）のクリップ部分を差し込むことで筆記具を収納し保持する。
なお、当該筆記具収納部の好ましい幅は１０〜２０ｍｍ、および切り込みの幅の好ましい値は５〜１０ｍｍ、切り込みの深さの好ましい値は１０〜３０ｍｍである。これらの寸法とすることで、一般に入手できる大多数の筆記具の収納が可能である。【０００８】  図４は、筆記具収納部５に筆記具が収納された状態を説明する図で、収納部の断面部分を模式的に示した図である。図において、図３と同じ符号は同じ機能を有するものであり、８は筆記具、８１は筆記具に備えられたクリップ、８２はクリップに設けられた抜け落ち防止の突起、８３は筆記具の芯出し用ノブをそれぞれ示す。
筆記具８の本体は裏表紙の上面（図における上の面）に、かつ筆記具のクリップ８１が裏表紙の下面（図における下の面）になるよう置かれ、さらにクリップの根元部分が切り込み部６に入り込むようにして収納される。
一般に筆記具の芯出し用ノブは、クリップが筆記具本体に固定される位置よりも上（図の右手方向）にはみ出している。このノブの頭が、止め具４が設けられる記録用紙の端面をはみ出ると、筆記具に不用意な外力がかかり抜け落ち易いことから、これを防止するために切り込みを設けている。従って、ノブのはみ出しを防止するための好ましい切り込み深さは１０〜３０ｍｍ程度であるが、より好ましい切り込み深さは１５〜２５ｍｍである。か
2009034974.tif 000004
を防止できるため、携帯中に筆記具が抜け落ちるのを効果的に防止できる。【０００９】  図５は、筆記具収納部５に設けられる切り込み部６に関し、第二の実施例を説明する概略斜視図であり、図３と同じ符号は同一機能を有する物である。当該実施例では、切り込み部がＬ字型の切り欠き部６１となっており、かかる形状でも筆記具を収納する機能は図３で説明した実施例と同等である。図３で示した切り込み部の構造は、押したり曲げたりする力に対し弱い欠点があるが、本実施例の形状にすると機械的な強度に強いため、携帯用手帳として利便性が増す利点がある。
なお、当該構造になる筆記具収納部の好ましい幅は１０〜２０ｍｍ、および切り欠きの幅の好ましい値は１０〜２０ｍｍ、切り欠きの深さの好ましい値は１０〜３０ｍｍである。これらの寸法とすることで、一般に入手できる筆記具の大多数が収納可能となる。【００１０】  図６は、携帯した際に不用意に筆記具が抜け落ちることを防止する手段を備えた本発明の第三の実施例である。図３と同じ符号は同一機能を有する物であり、７は抜け落ち防止穴を示す。本実施例では、筆記具収納部５の一部に筆記具抜け落ち防止穴が設けられる。当該穴の設けられる位置は、筆記具を所定の位置に収納した時に、筆記具のクリップに設けられた抜け落ち防止の突起８２が、当該穴７に入り込むことが出来る位置とする。かかる穴にクリップの抜け落ち防止の突起が入り込むことで保持力が高まることから、携帯した際に不用意に筆記具が抜け落ちることを防止する効果がいっそう高まる。
当該抜け落ち防止穴の設けられる好ましい位置は、切り欠き部の端面から１５−３０ｍｍの位置である。【００１１】  図７は、携帯時に不用意に筆記具がずれ落ちることを防止する手段を備えた本発明の第四の実施例である。本実施例では、筆記具収納部５の切り込みがＬ字型の切り欠き部６１となっており、かつ筆記具収納部５の一部に筆記具抜け落ち防止穴７が設けられる。かかる構成においても、筆記具抜け落ち防止穴にクリップの抜け落ち防止の突起が入り込むことから、筆記具が抜け落ちることを防止する効果が高まる。【００１２】  図８は、携帯時に不用意に筆記具が抜け落ちることを防止する手段を備えた本発明の第五の実施例である。本実施例では、筆記具収納部５の短辺方向の、積層された複数の記録用紙２が設けられた辺とは異なる辺の筆記具が収納される面（図の上面）の端部に、筆記具ずれ落ち防止の突起５１を設けている。当該突起は、収納された筆記用具が外力によりずれ落ちるのを防止するもので、この突起を設けることでずれ落ち防止効果を高めている。【００１３】  上記した本発明の実施例では、筆記具収納部は裏表紙と同一材料で同一面に形成されるものとして説明したが、材料としてはボール紙などの厚紙、プラスチックの薄板、金属の薄板なと、その選択は自由である。これら材料の板があまりに薄いと、筆記具を収納した時に折れ曲がることから、好ましい厚さは、ボール紙などの厚紙の場合では０．５〜２ｍｍ、プラスチックや金属の薄板の場合には０．２〜２ｍｍ程度である。
さらに、筆記具収納部は裏表紙と同一材料で同一面に設けるとして説明したが、筆記具収納部と裏表紙とを別の材料で形成し接着する選択もあり、その選択をすることは自由である。さらに、筆記具収納部を表紙と同一材料で同一面に設ける選択もあり、それを採用することは自由である。
上記した本発明の実施例では、筆記具収納部の設けられる位置は、表紙の表面から見て留め具を上にした時に、積層された複数の記録用紙の右手に設けられるとしたが、左手に設けても、さらには留め具に対して反対側の辺に設けても選択は自由であり、本発明は適用できる。また、筆記具収納部を複数箇所に設けても良く、その選択は自由である。
【図面の簡単な説明】
【００１４】
【図１】「従来の携帯用手帳の構造を説明する概略斜視図」
【図２】「従来の携帯用手帳の他の構造を示す概略斜視図」
【図３】「本発明になる第一の実施例を説明する概略斜視図」
【図４】「筆記具の収納状態を説明する概略断面図」
【図５】「本発明になる第二の実施例を説明する概略斜視図」
【図６】「本発明になる第三の実施例を説明する概略斜視図」
【図７】「本発明になる第四の実施例を説明する概略斜視図」
【図８】「本発明になる第五の実施例を説明する概略斜視図」
【符号の説明】
【００１５】１    表紙
２    積層された複数の記録用紙
３    裏表紙
４    留め具
５    筆記具収納部
５１  ずれ落ち防止の突起
６    切り込み部
６１  切り欠き部
７    抜け落ち防止穴
８    筆記具
８１  筆記具に備えられたクリップ
８２  クリップに設けられた抜け落ち防止の突起
８３  筆記具の芯出し用ノブ
９    筆記具収納筒
【図１】
2009034974.tif 000005
【図２】
2009034974.tif 000006
【図３】
2009034974.tif 000007
【図４】
2009034974.tif 000008
【図５】
2009034974.tif 000009
【図６】
2009034974.tif 000010
【図７】
2009034974.tif 000011
【図８】
2009034974.tif 000012